(57)【要約】【課題】特定の相手先から着信があったことを認識するのを不要にして不快な気持ちを感じるのを防止することができるとともに、常時、使用可能状態にすることができる通信端末を提供すること。【解決手段】ワン切り業者等の特定の電話番号をメモリ６の記憶領域６ａに登録しておき、記憶領域６ａに登録されたワン切り業者からの電話番号が着信されると、相手先と呼を接続して通信費を発生させ、着信音または振動を発生させる前に直ちに呼を切断する。【選択図】　　　図１
2004128857.tif 000002
【特許請求の範囲】
【請求項１】
相手先からの着信を検出する着信検出手段と、前記着信手段に着信があると、少なくとも着信音を出力するか、自己を振動させることにより前記着信状態を通知する着信状態通知手段と、特定の相手先の電話番号を登録する特定電話番号登録手段と、前記着信手段が着信を検出したとき、当該相手先の電話番号と前記特定電話番号登録手段に登録した特定の相手先の電話番号とを比較し、比較結果が一致したときに、前記着信状態通知手段によって着信状態を通知する前に前記相手先と呼を接続した後、呼を切断する制御手段とを備えたことを特徴とする通信端末。
【請求項２】
前記着信検出手段によって着信を検出したときに相手先の電話番号を表示する表示手段を有し、
前記制御手段は、前記着信検出手段によって検出した相手先の電話番号と前記特定電話番号登録手段に登録した特定の電話番号とを比較し、比較結果が一致したときに、前記表示手段に電話番号を表示しないことを特徴とする請求項１記載の通信端末。
【請求項３】
相手先に発信する発信手段と、前記特定電話番号登録手段に登録された特定の電話番号に発信するのを禁止する禁止手段とを有することを特徴とする請求項１または請求項２記載の通信端末。
【請求項４】
前記特定電話番号登録手段に登録された特定の電話番号を他の通信端末に転送する転送手段と、他の通信端末から転送された特定の電話番号を受信して前記特定電話番号登録手段に登録する受信登録手段とを有することを特徴とする請求項１乃至請求項３何れかに記載の通信端末。
【請求項５】
通信回線を介してＷｅｂ（Ｗｏｒｌｄ　Ｗｉｄｅ　Ｗｅｂ）サイトに特定の電話番号を登録する登録手段と、前記Ｗｅｂサイトに登録され、前記特定電話番号登録手段に未登録の特定の電話番号を取得して前記特定電話番号登録手段に登録する特定電話番号取得手段とを有することを特徴とする請求項１乃至請求項４何れかに記載の通信端末。
【請求項６】
前記着信検出手段によって着信を検出したときに相手先の電話番号を表示する表示手段と、前記特定の電話番号と異なる個人電話番号を登録する個人電話番号登録手段とを有し、
前記制御手段は、前記着信検出手段によって検出した相手先の電話番号と前記個人電話番号登録手段に登録した個人電話番号とを比較し、比較結果が一致しないときに、前記表示手段に特定の電話番号として表示することを特徴とする請求項１乃至請求項５記載の通信端末。
【請求項７】
前記制御手段は、前記着信検出手段によって検出した相手先の電話番号と前記個人電話番号登録手段に登録した個人電話番号とを比較し、比較結果が一致しないときに、着信した前記特定の電話番号を前記特定電話番号登録手段に自動的に登録することを特徴とする請求項６記載の通信端末。
【請求項８】
前記制御手段は、前記着信検出手段への着呼回数が所定回数以下である場合で、かつ、前記着信検出手段によって検出した相手先の電話番号と前記個人電話番号登録手段に登録した個人電話番号とを比較し、比較結果が一致しないときに、着信した前記特定の電話番号を前記特定電話番号登録手段に自動的に登録することを特徴とする請求項１乃至請求項７何れかに記載の通信端末。
【発明の詳細な説明】
【０００１】
【発明の属する技術分野】
本発明は、ワン切り等の迷惑電話に効果的に対応することができる通信端末に関する。
【０００２】
【従来の技術】
近時、１コールで携帯電話を呼び出して携帯電話に電話番号を表示させ、携帯電話の所有者（以下、所有者をユーザという）が表示された見慣れない電話番号に掛けると、有料の出会い系サイトやアダルトサイトの業者に回線が接続される、所謂、ワン切りと呼ばれる悪質な商法がまかり通っている。
【０００３】
このワン切りは、１回しかコールを行わないで回線を切断するため、表示された電話番号を見た着信者側がワン切り業者側に電話を掛けることになり、着信者側が通信費を負担しなければならずに余計な通信費が掛かる上に、ワン切り業者に接続されたこと自体に対してユーザは精神衛生的に不快な思いをしてしまう。さらに、携帯電話を保持しているときに１コールしか通知されないので、このことも着信者は精神衛生的に不快な思いをしてしまう。
【０００４】
このワン切りを行う業者の発信処理とユーザ側の処理を図６に示すフローチャートに基づいて簡単に説明する。
【０００５】
図６において、ワン切り業者は、発信を行って呼び出しを行い（ステップＳ１、Ｓ２）、携帯電話側に１コールだけ呼出し音を発生させた後（ステップＳ３）、呼を切断する（ステップＳ４）。
【０００６】
一方、携帯電話側では、ワン切り業者からの着信があると、１コールだけ着信音を発生させるとともに電話番号が表示される（ステップＳ６）。ユーザは表示された着信番号を視認して（ステップＳ７）、その電話番号にリダイヤルする（ステップＳ８）。
【０００７】
この結果、ワン切り業者は通信費を負担することなく、携帯電話側に通信費を負担させ、かつ自己のサービス内容を一方的にユーザに伝えることができ、自己に有利な営業を行うことができる（ステップＳ５）。また、ユーザは自己負担でリダイヤルを行って不要なサービス内容を聞くことにより時間的、精神的に多大なロスが生じる（ステップＳ９）。
【０００８】
このようなワン切りに対しては、着信拒否を行うことによって対応しており、その中で、例えば、特許文献１に記載された着信拒否機能を備えた電話機が有効と考えられる。
【０００９】
この特許文献１に記載されたものは、不特定な発信者各々から発信者番号を伴う呼出しがある度に、この呼出しに応答、または不応答の上、必要に応じこの発信者に対する着信拒否が、この呼出しに伴われている発信者番号を着信拒否発信者番号として外部からのワンタッチ登録操作により一旦登録された場合には、以降、発信者番号を伴う呼出しがある度に、この発信者番号が既に登録されている着信拒否発信者番号の何れかに一致することを条件として、少なくとも着信表示を行わないようにするか、またはこの発信者の電話番号が既に登録されている着信拒否発信者の何れかに一致することを条件として、着信表示を行うことなく、呼出しに自動的に疑似応答の上、呼の切断を行うようにしている。
【００１０】
【特許文献１】
特開２０００−５９５０２号公報（請求項１）
【００１１】
【発明が解決しようとする課題】
しかしながら、このような着信拒否機能を備えた電話機にあっては、発信者番号を伴う呼出しがある度に、この発信者番号が既に登録されている着信拒否発信者番号の何れかに一致する場合には着信表示を行わないようにするか、または着信表示を行うことなく呼出しに自動的に疑似応答の上、呼の切断を行うようにしているものであり、着信音や振動によって着信があったことを通知するものと考えられる。
【００１２】
したがって、ユーザは、ワン切り業者を含んだ着信拒否の相手先からの着信であってもこれ認識することになり、精神衛生的に不快な気持になってしまう。また、着信表示を行うことなく、呼出しに自動的に疑似応答を行う場合には、疑似応答をする間の時間は携帯電話で発信や着信を行うこと、すなわち、通常の電話機として使用することができなかった。
【００１３】
本発明は、上記従来の問題を解決するもので、特定の相手先から着信があったことを認識するのを不要にして不快な気持ちを感じるのを防止することができるとともに、常時、使用可能状態にすることができる通信端末を提供することを目的とするものである。
【００１４】
【課題を解決するための手段】
また、本発明の通信端末は、相手先からの着信を検出する着信検出手段と、前記着信手段に着信があると、少なくとも着信音を出力するか、自己を振動させることにより前記着信状態を通知する着信状態通知手段と、特定の相手先の電話番号を登録する特定電話番号登録手段と、前記着信手段が着信を検出したとき、当該相手先の電話番号と前記特定電話番号登録手段に登録した特定の相手先の電話番号とを比較し、比較結果が一致したときに、前記着信状態通知手段によって着信状態を通知する前に前記相手先と呼を接続した後、呼を切断する制御手段とを備えたものから構成される。
【００１５】
このような構成により、ワン切り業者等の特定の電話番号を登録しておき、登録された特定の電話番号が着信されると、相手先と呼を接続して通信費を発生させ、着信音または振動を発生させる前に直ちに呼を切断することができるので、ユーザはワン切り業者等から着信があったことを認識することがなく、不快な気持ちを感じるのを不要にすることができる。
【００１６】
また、呼を接続したら直ちに呼を切断するので、通信端末を常時使用可能状態（待機状態）にすることができる。
【００１７】
また、呼を接続したら直ちに呼を切断するので、１回しか着信のコールを行わないワン切り業者に対しても課金することができ、ワン切り業者に通信費を負担させることができるとともに、ワン切り業者にワン切り対応をしていることを通知することができ、ワン切り業者に再度ワン切りによる発信を行わせないようにすることができる。
【００１８】
また、ワン切り業者以外所にも、ストーカー行為を行う相手（例えば、別れた恋人等）、嫌いな人、しつこい勧誘を行う企業や団体、絶交中の友人等の着信を拒否することもできる。
【００１９】
また、本発明の通信端末は、前記着信検出手段によって着信を検出したときに相手先の電話番号を表示する表示手段を有し、前記制御手段は、前記着信検出手段によって検出した相手先の電話番号と前記特定電話番号登録手段に登録した特定の電話番号とを比較し、比較結果が一致したときに、前記表示手段に電話番号を表示しないように構成される。
【００２０】
このような構成により、特定の電話番号を表示しないので、表示された特定の電話番号に誤って発信するのを防止することができる上に、表示された特定の電話番号に着信者が発信するというワン切り業者の営業効果を無効にすることができる。
【００２１】
また、本発明の通信端末は、相手先に発信する発信手段と、前記特定電話番号登録手段に登録された特定の電話番号に発信するのを禁止する禁止手段とを有するものから構成される。
【００２２】
このような構成により、特定の電話番号に発信することができないので、特定の電話番号に誤って発信するのを確実に防止することができる上に、ワン切り業者との通信を完全に遮断することができる。
【００２３】
また、本発明の通信端末は、前記特定電話番号登録手段に登録された特定の電話番号を他の通信端末に転送する転送手段と、他の通信端末から転送された特定の電話番号を受信して前記特定電話番号登録手段に登録する受信登録手段とを有するものから構成される。
【００２４】
このような構成により、自己の通信端末に未登録の特定の電話番号を交換することにより、自己の通信端末に１度も着信のないワン切り業者の電話番号を事前に知ることができる上に、自己の通信端末に始めて着信があったワン切り業者に通信費を負担させることができる。
【００２５】
また、本発明の通信端末は、通信回線を介してＷｅｂ（Ｗｏｒｌｄ　Ｗｉｄｅ　Ｗｅｂ）サイトに特定の電話番号を登録する登録手段と、前記Ｗｅｂサイトに登録され、前記特定電話番号登録手段に未登録の特定の電話番号を取得して前記特定電話番号登録手段に登録する特定電話番号取得手段とを有するものから構成される。
【００２６】
このような構成により、Ｗｅｂサイトに多数の通信端末からワン切り業者の電話番号を登録してワン切り業者の電話番号を集約することができる。また、Ｗｅｂサイトからワン切り業者の電話番号を取得することにより、自己の通信端末に１度も着信のない多数のワン切り業者の電話番号を事前に知ることができる上に、自己の通信端末に始めて着信があったワン切り業者に通信費を負担させることができる。
【００２７】
また、Ｗｅｂサイトでワン切り業者以外に、未成年者に有害と判断される有料のアダルトサービスを提供する業者（特定の相手先）の電話番号を多数の通信端末から持ち寄って集約することにより、有害な業者からの着信に対応することができ、有害な業者との接触を断つことができる。
【００２８】
また、本発明の通信端末は、前記着信検出手段によって着信を検出したときに相手先の電話番号を表示する表示手段と、前記特定の電話番号と異なる個人電話番号を登録する個人電話番号登録手段とを有し、前記制御手段は、前記着信検出手段によって検出した相手先の電話番号と前記個人電話番号登録手段に登録した個人電話番号とを比較し、比較結果が一致しないときに、前記表示手段に特定の電話番号として表示するものから構成される。
【００２９】
このような構成により、着信履歴上でワン切り業者等の特定の電話番号と友人や恋人等の個人電話番号を区別することができる。また、表示手段に表示された特定電話番号をそのまま特定電話番号登録手段に登録することができ、ワン切り業者等の電話番号を簡単に登録することができる。
【００３０】
また、本発明の通信端末は、前記制御手段は、前記着信検出手段によって検出した相手先の電話番号と前記個人電話番号登録手段に登録した個人電話番号とを比較し、比較結果が一致しないときに、着信した前記特定の電話番号を前記特定電話番号登録手段に自動的に登録するように構成される。
【００３１】
このような構成により、表示手段に表示された特定電話番号を自動的に特定電話番号登録手段に登録することができるので、ワン切り業者等の電話番号の登録の簡素化を図ることができる。
【００３２】
また、本発明の通信端末は、前記制御手段は、前記着信検出手段への着呼回数が所定回数以下である場合で、かつ、前記着信検出手段によって検出した相手先の電話番号と前記個人電話番号登録手段に登録した個人電話番号とを比較し、比較結果が一致しないときに、着信した前記特定の電話番号を前記特定電話番号登録手段に自動的に登録するように構成される。
【００３３】
このような構成により、特定電話番号手段に未登録で１回しか着信のコールを行わない電話番号をワン切り業者であるものと判断して特定電話番号を自動的に特定電話番号登録手段に登録することができるので、ワン切り業者等の電話番号の登録の簡素化を図ることができる。
【００３４】
【発明の実施の形態】
以下、本発明の実施の形態を図面に基づいて説明する。
図１、図２は本発明の通信端末の第１の実施の形態を示す図であり、通信端末として携帯電話を例に説明している。なお、通信端末としては、携帯電話に限らず、固定電話機、ＰＨＳ等であっても良い。
【００３５】
まず、構成を説明する。図１において、通信端末としての携帯電話１は、システム制御部２、ＲＡＭ３、ＲＯＭ４、通信制御部５、メモリ６、外部メモリインターフェース７、カメラ８、表示部９、操作部１０、バッテリー１１、マイク１２、スピーカ１３およびバイブレータ１４から構成されている。
【００３６】
システム制御部２はＲＯＭ４に格納されたプログラムに基づいて携帯電話１全体を制御するものであり、本実施の形態では、ＲＯＭ４に着信拒否プログラムが格納され、システム制御部２はこの着信拒否プログラムに基づいて着信拒否処理を実行するようになっている。
【００３７】
ＲＡＭ３はシステム制御部２がプログラムを実行するときに必要な各種データなどを記憶し、また、システム制御部２のワークエリアを構成している。
【００３８】
通信制御部５は相手先からの着信（着呼）を検出したり、相手先に発信（発呼）したりするとともに、携帯電話１を通信回線１５を介して相手先の通信端末に接続（呼の接続）するようになっている。本実施の形態では通信制御部５が着信手段および発信手段を構成している。
【００３９】
通信制御部５に着信があると、スピーカ１３から着信音が出力されたり、バイブレータ１４によって携帯電話１、すなわち、自己が振動することにより、着信状態を通知するようになっており、スピーカ１３からの着信音の出力またはバイブレータ１４による振動は操作部１０によって選択されるようになっている。本実施の形態では、スピーカ１３およびバイブレータ１４が着信状態通知手段を構成している。
【００４０】
メモリ６は特定の相手先であるワン切り業者の電話番号を記憶する記憶領域６ａと、友人、恋人、会社、飲食店等の個人の電話番号やメールアドレスを記憶するアドレス帳としての記憶領域６ｂとを備えており、この記憶領域６ａ、６ｂには操作部１０の操作によって特定の電話番号および個人の電話番号が登録されるようになっている。本実施の形態では、メモリ６および操作部１０が特定電話番号登録手段および個人電話番号登録手段を構成している。
【００４１】
外部メモリインターフェース７は外部メモリとして公知のメモリカード１６が脱着自在なインターフェースとしての機能を有しており、メモリカード１６に記憶されたワン切り業者の電話番号、ＮＴＴドコモが提供するｉモードの着メロ等の音声信号、アイドル画像等の画像データ等を読み込んでメモリ６に記憶するようになっている。
【００４２】
カメラ８は画像を撮像するようになっており、このカメラ８によって撮像された画像データは図示しないＡ／ＤコンバータによってＡ／Ｄ変換された後、メモリ６に記憶されるようになっている。
【００４３】
表示部９は液晶表示画面から構成されており、日時、時間、バッテリーの残量、圏外、圏内、待ち受け画像等を表示したり、着信やメール受信があった場合に電話番号やメール受信通知を表示するようになっている。本実施の形態では、表示部９が表示手段を構成している。
【００４４】
操作部１０はテンキー、オンフックキー、オフフックキー等の各種キーから構成されており、メール文章を作成したり、発信時にメモリ６の記憶領域６ｂに記憶された個人電話番号やメールアドレスを読み出して通信制御部５を介して送信するようになっている。
【００４５】
バッテリー１１は携帯電話１の各装置２〜１４に電源を供給するものであり、外部の電源から給電が可能になっている。
【００４６】
マイク１２は入力された音声を音声信号に変換して通信制御部５を介して相手先の通信端末に送信するようになっており、スピーカ１３は通信制御部５を介して入力した音声信号を音声出力したり、上述したように着信音を出力するようになっている。
【００４７】
本実施の形態では、システム制御部２は、通信制御部５が着信を検出したとき、当該相手先の電話番号とメモリ６の記憶領域６ａに登録したワン切り業者の電話番号とを比較し、比較結果が一致したときに、マイク１２から着信音を出力したり、バイブレータ１４によって振動を発生させる前に通信回線１５を介して相手先の通信端末に呼を接続して通信費を発生させた後、直ちに呼を切断するようになっている。本実施の形態では、システム制御部２が制御手段を構成している。
【００４８】
また、システム制御部２は、通信制御部５によって検出したワン切り業者の電話番号とメモリ６の記憶領域６ａに登録したワン切り業者の電話番号とを比較し、比較結果が一致したときに、表示部９に電話番号を表示しないようになっている。
【００４９】
また、システム制御部２はメモリ６の記憶領域６ａに登録されたワン切り業者に通信制御部５が発信するのを禁止するようになっており、禁止手段を構成している。
【００５０】
次に、本実施の形態の着信拒否処理を図２のフローチャートに基づいて説明する。なお、図２のフローチャートはＲＯＭ４に格納され、システム制御部２で実行される着信拒否プログラムである。
【００５１】
図２において、まず、携帯電話１に着信があったか否かを判別し（ステップＳ１１）、着信がない場合には今回の処理を終了し、着信があった場合にはこの着信電話番号とメモリ６の記憶領域６ａに記憶されたワン切り業者の電話番号および記憶領域６ｂに記憶されたアドレス帳の電話番号を比較する（ステップＳ１２）。
【００５２】
ここで、着信電話番号とアドレス帳の電話番号の何れかの電話番号が一致しない場合には、着信された電話番号を表示した後（ステップＳ１６）、操作部１０のオンフックボタンが押下されてオンフックされたか否かを判別し（ステップＳ１７）、オンフックされた場合には、相手先と呼を接続して通信費を発生させ、通話を行う（ステップＳ１８）。
【００５３】
次いで、操作部１０のオンフックボタンが押下されてオンフックされたか否かを判別し（ステップＳ１９）、オンフックされた場合には呼を切断して（ステップＳ２０）、今回の処理を終了する。
【００５４】
また、ステップＳ１７でオンフックされていない場合には、所定時間経過したか否かを判別し（ステップＳ２１）、所定時間経過した場合には、ユーザが携帯電話１から離れている等してオフフックしないものと判断して呼を切断して（ステップＳ２２）、今回の処理を終了する。なお、留守番電話に設定されている場合には、所定時間経過した場合に留守録音を行う。
【００５５】
一方、ステップＳ１２で着信電話番号が記憶領域６ａに記憶されたワン切り業者の電話番号の何れかと一致した場合には、電話番号の表示を行わず（ステップＳ１３）、着信音を出力またはバイブレータ１４を作動させる前に呼を接続して通信費を発生させた後（ステップＳ１４）、直ちに呼を切断して（ステップＳ１５）、今回の処理を終了する。
【００５６】
このように本実施の形態では、ワン切り業者等の特定の電話番号をメモリ６の記憶領域６ａに登録しておき、登録されたワン切り業者からの電話番号が着信されると、相手先と呼を接続して通信費を発生させ、着信音または振動を発生させる前に直ちに呼を切断するようにしたので、ユーザはワン切り業者等から着信があったことを認識することがなく、不快な気持ちを感じるのを不要にすることができる。また、通信回線１５を接続したら直ちに呼を切断するので、携帯電話１を常時使用可能状態（待機状態）にすることができる。
【００５７】
また、通信回線１５を接続したら直ちに呼を切断するので、１回しか着信のコールを行わないワン切り業者に対しても課金することができ、ワン切り業者に通信費を負担させることができるとともに、ワン切り業者にワン切り対応をしていることを通知することができ、ワン切り業者に再度ワン切りによる発信を行わせないようにすることができる。
【００５８】
また、ワン切り業者以外にも、特定の相手先としてストーカー行為を行う相手（例えば、別れた恋人等）、嫌いな人、しつこい勧誘を行う企業や団体、絶交中の友人等の着信を拒否することもできる。
【００５９】
また、本実施の形態では、着信を検出したときに相手先の電話番号を表示する表示部９を有し、登録されたワン切り業者からの電話番号が着信されると、表示部９に電話番号を表示しないようにしたので、ワン切り業者に誤って発信するのを防止することができる上に、表示されたワン切り業者に着信者が発信するというワン切り業者の営業効果を無効にすることができる。
【００６０】
また、本実施の形態では、登録されたワン切り業者に発信するのを禁止するようになっているので、ワン切り業者に誤って発信するのを確実に防止することができる上に、ワン切り業者との通信を完全に遮断することができる。
【００６１】
図１、図３、図４は本発明の通信端末の第２の実施の形態を示す図である。
【００６２】
本実施の形態のシステ制御部２は、通信制御部５が検出した相手先の電話番号とメモリ６の記憶領域６ｂに登録した個人電話番号とを比較し、比較結果が一致しないときに、表示部９にワン切り業者の電話番号として表示するようになっており、この電話番号を自動的にメモリ６の記憶領域６ａに自動的に登録するようになっている。
【００６３】
次に、本実施の形態の着信拒否方法を図３のフローチャートに基づいて説明する。
【００６４】
図３において、まず、携帯電話１に着信があったか否かを判別し（ステップＳ３１）、着信がない場合には今回の処理を終了し、着信があった場合にはこの着信電話番号とアドレス帳としてのメモリ６の記憶領域６ｂに記憶された個人電話番号および記憶領域６ａに記憶されたワン切り業者の電話番号を比較する（ステップＳ３２）。
【００６５】
ここで、着信電話番号とアドレス帳の電話番号の何れかの電話番号が一致する場合には、着信された電話番号を表示した後（ステップＳ３７）、操作部１０のオンフックボタンが押下されてオンフックされたか否かを判別し（ステップＳ３８）、オンフックされた場合には、相手先と呼を接続して通信費を発生させ、通話を行う（ステップＳ３９）。
【００６６】
次いで、操作部１０のオンフックボタンが押下されてオンフックされたか否かを判別し（ステップＳ４０）、オンフックされた場合には呼を切断して（ステップＳ４１）、今回の処理を終了する。
【００６７】
また、ステップＳ３８でオンフックされていない場合には、所定時間経過したか否かを判別し（ステップＳ４２）、所定時間経過した場合には、ユーザが携帯電話１から離れている等してオフフックしないものと判断して呼を切断して（ステップＳ４３）、今回の処理を終了する。なお、留守番電話に設定されている場合には、所定時間経過した場合に留守録音を行う。
【００６８】
一方、ステップＳ３２で着信電話番号が記憶領域６ｂに記憶された個人電話番号の何れかと一致しない場合には、ワン切り業者の電話番号と判断してこの電話番号を表示し（ステップＳ３３）、着信音を出力またはバイブレータ１４を作動させる前に呼を接続して通信費を発生させた後（ステップＳ３５）、直ちに呼を切断し（ステップＳ３５）、次いで、この電話番号をメモリ６の記憶領域６ａに登録して（ステップＳ３６）、今回の処理を終了する。
【００６９】
このように本実施の形態では、ワン切り業者の電話番号が着信した場合に、表示部９にワン切り業者の電話番号として表示するようにしたので、着信履歴上でワン切り業者等の特定の電話番号と友人や恋人等の個人電話番号を区別することができる。
【００７０】
また、このワン切り業者の電話番号をメモリ６の記憶領域に自動的に登録するようにしたので、ワン切り業者等の電話番号の登録の簡素化を図ることができる。
【００７１】
なお、表示部９に表示されたワン切り業者の電話番号を自動的に登録せずに、操作部１０を操作してメモリ６の記憶領域６ａに登録するようにしても良い。
【００７２】
また、ワン切り業者の電話番号を表示して着信履歴を管理することができるので、迷惑電話の頻度を証拠として残すことも可能である。
【００７３】
図１、図５は本発明の通信端末の第３の実施の形態を示す図であり、本実施の形態では、着信回数を検出してこの電話番号を表示して登録する点が第１の実施の形態および第２の実施の形態と異なるだけである。
【００７４】
本実施の形態のシステ制御部２は、通信制御部５が検出した着呼回数が所定回数以下、例えば、ワン切り業者であれば１コール以下であり、かつ、通信制御部５が検出した相手先の電話番号とメモリ６の記憶領域６ｂに登録した個人電話番号とを比較し、比較結果が一致しないときに、表示部９にワン切り業者の電話番号として表示し、この電話番号を自動的にメモリ６の記憶領域６ａに自動的に登録するようになっている。
【００７５】
次に、本実施の形態の着信拒否方法を図５のフローチャートに基づいて説明する。
【００７６】
図５において、まず、携帯電話１に着信があったか否かを判別し（ステップＳ５１）、着信がない場合には今回の処理を終了し、着信があった場合にはこの着信電話番号とアドレス帳としてのメモリ６の記憶領域６ｂに記憶された個人電話番号および記憶領域６ａに記憶されたワン切り業者の電話番号を比較する（ステップＳ５２）。
【００７７】
ここで、着信電話番号とアドレス帳の電話番号の何れかの電話番号が一致する場合には、着信された電話番号を表示した後（ステップＳ５８）、操作部１０のオンフックボタンが押下されてオンフックされたか否かを判別し（ステップＳ５９）、オンフックされた場合には、相手先と呼を接続して通信費を発生させ、通話を行う（ステップＳ５９）。
【００７８】
次いで、操作部１０のオンフックボタンが押下されてオンフックされたか否かを判別し（ステップＳ６１）、オンフックされた場合には呼を切断して（ステップＳ６２）、今回の処理を終了する。
【００７９】
また、ステップＳ６１でオンフックされていない場合には、所定時間経過したか否かを判別し（ステップＳ６３）、所定時間経過した場合には、ユーザが携帯電話１から離れている等してオフフックしないものと判断して呼を切断して（ステップＳ６４）、今回の処理を終了する。なお、留守番電話に設定されている場合には、所定時間経過した場合に留守録音を行う。
【００８０】
一方、ステップＳ５２で着信電話番号が記憶領域６ｂに記憶された個人電話番号の何れかと一致しない場合には、ワン切りであるか、すなわち、着信回数が１コールであるか否かを判別し、１コールである場合には、ワン切り業者の電話番号と判断してこの電話電話を表示し（ステップＳ５４）、着信音を出力またはバイブレータ１４を作動させる前に呼を接続して通信費を発生させた後（ステップＳ５５）、直ちに呼を切断し（ステップＳ５６）、次いで、この電話番号をメモリ６の記憶領域６ａに登録して（ステップＳ５６）、今回の処理を終了する。
【００８１】
このように本実施の形態では、メモリ６の記憶領域６ａに登録されていない電話番号から１コールしか着信がない場合には、ワン切り業者と判断して電話番号をメモリ６の記憶領域６ａに自動的に登録するようにしたので、ワン切り業者等の電話番号の登録の簡素化を図ることができる。
【００８２】
また、上記何れの実施の形態であっても、メモリ６の記憶領域６ａに登録されたワン切り業者の電話番号を他の通信端末と交換可能にしても良い。具体的には、システム制御部２により、メモリ６の記憶領域６ａに記憶されたワン切り業者の電話番号を電子メールで通信制御部５により他の通信端末に転送したり、他の通信端末から通信制御部５が受信したワン切り業者の電話番号を抜き出してメモリ６の記憶領域６ａに登録する。この場合、システム制御部２および通信制御部５が転送手段および受信登録手段を構成する。
【００８３】
また、メモリカード１６に記憶されたワン切り業者の電話番号を外部メモリインターフェース７によって読み取ったり、外部メモリインターフェース７からメモリカード１６に書き込んだりしても良い。この場合には、システム制御部２および外部メモリ装着手段７が転送手段および受信登録手段を構成する。
【００８４】
また、ワン切り業者の電話番号をシステム制御部２によって２次元バーコード化して表示部９に表示し、この２次元バーコードをカメラ８によって読み取ってシステム制御部５により他の通信端末に転送したり、他の通信端末から受信した２次元バーコードを通信制御部５によって受信し、システム制御部２によって電話番号を変換してメモリ６の記憶領域６ａに記憶しても良い。この場合には、システム制御部２、通信制御部５およびカメラ８が転送手段を構成し、システム制御部２および通信制御部５が受信登録手段を構成する。
【００８５】
また、図示しない赤外線送受信部を設け、携帯電話１と他の通信端末と赤外線通信を行うようにしても良い。この場合には、赤外線送受信部が転送手段および受信登録手段を構成する。
【００８６】
このようにすれば、自己の携帯電話１に未登録の特定の電話番号を交換することにより、自己の携帯電話１に１度も着信のないワン切り業者の電話番号を事前に知ることができる上に、自己の携帯電話１に始めて着信があったワン切り業者に通信費を負担させることができる。
【００８７】
また、システム制御部２によって通信制御部５を制御してインターネット回線を含んだ通信回線１５を介してＷｅｂ（Ｗｏｒｌｄ　Ｗｉｄｅ　Ｗｅｂ）サイトに接続し、操作部１０を操作してメモリ６のワーク記憶領域６ａに記憶されたワン切り業者の電話番号をまとめて、あるいは一部を取り出してＷｅｂサイトに登録したり、システム制御部２によって通信制御部５を制御してＷｅｂサイトに接続し、Ｗｅｂサイトからメモリ６の記憶領域６ａに未登録のワン切り業者の電話番号を取得してこの電話番号をメモリ６の記憶領域に６ａに登録しても良い。この場合には、システム制御部２および通信制御部５が登録手段および特定電話番号取得手段を構成する。
【００８８】
このようにすれば、Ｗｅｂサイトに携帯電話を含んだ多数の通信端末からワン切り業者の電話番号を登録してワン切り業者の電話番号を集約することができる。また、Ｗｅｂサイトからワン切り業者の電話番号を取得することにより、自己の携帯電話１に１度も着信のない多数のワン切り業者の電話番号を事前に知ることができる上に、自己の携帯電話１に始めて着信があったワン切り業者に通信費を負担させることができる。
【００８９】
また、Ｗｅｂサイトでワン切り業者以外に、未成年者に有害と判断される有料のアダルトサービスを提供する業者（特定の相手先）の電話番号を多数の通信端末から持ち寄って集約することにより、有害な業者からの着信に対応することができ、有害な業者との接触を断つことができる。
【００９０】
また、最近では金融機関からの返済の問い合せを、保証人でもない借主本人の周辺（家族、親戚、友人、知人等）に繰り返し電話をかけて迷惑がかかる場合があるが、本発明の携帯電話１を使用することにより、このような場合に周辺の人同士で互いに連絡を取り、金融機関の電話番号を交換することで繰り返し電話を使えなくする行動や、不愉快な電話対応を防止することができる。
【００９１】
なお、Ｗｅｂサイトに接続してＷｅｂサイトからメモリ６の記憶領域６ａに未登録のワン切り業者の電話番号を取得してこの電話番号をメモリ６の記憶領域に登録する場合には、未登録の電話番号を検索して取得しても良く、Ｗｅｂサイトに登録されたワン切り業者の電話番号を全て取得して、メモリ６の記憶領域６ａに登録する場合に既存の電話番号がある場合には上書きしても良い。
【００９２】
【発明の効果】
本発明によれば、特定の相手先から着信があったことを認識するのを不要にして不快な気持ちを感じるのを防止することができるとともに、常時、使用可能状態にすることができる通信端末を提供することができる。
【図面の簡単な説明】
【図１】本発明の第１乃至第３の実施の形態の通信端末として携帯電話の構成図
【図２】本発明の第１の実施の形態の着信拒否のフローチャート
【図３】本発明の第２の実施の形態の着信拒否のフローチャート
【図４】本発明の第２の実施の形態のワン切り業者を表わす電話番号表示例
【図５】本発明の第３の実施の形態の着信拒否のフローチャート
【図６】従来のワン切り業者の発信処理と携帯電話の受信処理を示すフローチャート
【符号の説明】
２　　システム制御部（制御手段、禁止手段、転送手段、受信登録手段、特定電話番号取得手段）
５　　通信制御部（着信手段、発信手段、転送手段、受信登録手段、特定電話番号取得手段）
６　　メモリ（特定電話番号登録手段、個人電話番号登録手）
７　　外部メモリインターフェース（転送手段、受信登録手段）
８　　カメラ（転送手段）
９　　表示部（表示手段）
１０　　操作部（特定電話番号登録手段、個人電話番号登録手段）
１３　　スピーカ（着信状態通知手段）
１４　　バイブレータ（着信状態通知手段）
【図１】
2004128857.tif 000003
【図２】
2004128857.tif 000004
【図３】
2004128857.tif 000005
【図４】
2004128857.tif 000006
【図５】
2004128857.tif 000007
【図６】
2004128857.tif 000008